(57)【要約】【課題】制御装置の未使用状態のコネクタを保護することができ、且つ、コネクタに装着された電気部品を保持できるようにする。【解決手段】制御装置（１）は、ＵＳＢメモリ（１０）が着脱されるコネクタ（４）と、コネクタ（４）が露出される第１の開口（５）が形成されたパネル（７）と、パネル（７）に保持され、ＵＳＢメモリ（１０）がコネクタ（４）に装着されていない場合に第１の開口（５）を覆う第１の面（３１）及びＵＳＢメモリ（１０）がコネクタ（４）に装着された場合にＵＳＢメモリ（１０）に接触する第２の面（３２）を備えたカバー部材（２０）と、を有する。
2017141403.tif 000002
【特許請求の範囲】
【請求項１】
電気部品が着脱されるコネクタと、  前記コネクタが露出される第１の開口が形成されたパネルと、  前記パネルに保持され、前記電気部品が前記コネクタに装着されていない場合に前記第１の開口の少なくとも一部を覆う第１の面と、前記電気部品が前記コネクタに装着された場合に前記電気部品に接触する第２の面と、を備えたカバー部材と、を有することを特徴とする制御装置。
【請求項２】
前記カバー部材は、  前記パネルに着脱可能であることを特徴とする請求項１に記載の制御装置。
【請求項３】
前記パネルには、  前記第１の開口の近傍に第２の開口が形成されており、  前記カバー部材は、  前記第２の開口に着脱される弾性変形可能な少なくとも１つの爪部を有することを特徴とする請求項２に記載の制御装置。
【請求項４】
前記少なくとも１つの爪部は、  前記カバー部材の前記第１の面が前記パネルの面方向に沿った姿勢となるように前記第２の開口に係合する第１突起部を有することを特徴とする請求項３に記載の制御装置。
【請求項５】
前記少なくとも１つの爪部は、  前記カバー部材の前記第２の面が前記パネルの面方向に交差する姿勢となるように前記第２の開口に係合する第２突起部を有することを特徴とする請求項３又は４に記載の制御装置。
【請求項６】
前記第２の開口は、  所定の方向の開口寸法が、前記第２の開口に装着された前記少なくとも１つの爪部の前記所定の方向の厚みよりも大きくなるように形成されていることを特徴とする請求項３乃至５のいずれか１項に記載の制御装置。
【請求項７】
前記カバー部材は、  前記少なくとも１つの爪部とは反対側の端部に、前記第１の開口の前記第２の開口とは反対側の縁部に係合する第３突起部を有することを特徴とする請求項３乃至６のいずれか１項に記載の制御装置。
【請求項８】
前記カバー部材は、  前記第２の面を表裏の関係にある一方側表面と他方側表面にそれぞれ有しており、  前記一方側表面における前記第２の面の、前記他方側表面において前記第２の開口の縁部に接触する第１接触面からのオフセット量と、前記他方側表面における前記第２の面の、前記一方側表面において前記第２の開口の前記縁部に接触する第２接触面からのオフセット量とが、異なるように構成されていることを特徴とする請求項３乃至７のいずれか１項に記載の制御装置。
【請求項９】
前記カバー部材は、  前記コネクタに装着された前記電気部品と前記第２の面とが接触した状態で、前記電気部品と前記カバー部材とを結束する結束部材が収容される凹部を有することを特徴とする請求項１乃至８のいずれか１項に記載の制御装置。
【発明の詳細な説明】
【技術分野】
【０００１】  開示の実施形態は、制御装置に関する。
【背景技術】
【０００２】  一般に、制御装置は各種のデバイスやケーブル等が接続されるコネクタを備えている。コネクタは使用されていない状態では外部に露出されるため、異物が混入したり静電気の影響等を受ける可能性がある。一方、デバイスやケーブル等はその用途によっては比較的長い時間コネクタに装着される場合がある。その場合には、デバイスやケーブル等を装着した状態に保持し、抜け防止を図るのが好ましい。【０００３】  従来、上記デバイスの一例であるＵＳＢメモリを保持する手段として、例えば特許文献１及び特許文献２に記載のものが知られている。特許文献１では、ＵＳＢメモリがコネクタへ挿入された後、回転されることで固定される。また特許文献２では、ＵＳＢメモリが嵌合板と共にポートに圧入されることで、抜け防止が図られている。
【先行技術文献】
【特許文献】
【０００４】
【特許文献１】特開２００６−２９４２６０号公報
【特許文献２】特開２０１０−２１０７０号公報
【発明の概要】
【発明が解決しようとする課題】
【０００５】  特許文献１及び特許文献２に記載のいずれの従来技術も、未使用状態のコネクタを保護することができなかった。【０００６】  本発明はこのような問題点に鑑みてなされたものであり、未使用状態のコネクタを保護することができ、且つ、コネクタに装着された電気部品を保持できる制御装置を提供することを目的とする。
【課題を解決するための手段】
【０００７】  上記課題を解決するため、本発明の一の観点によれば、電気部品が着脱されるコネクタと、前記コネクタが露出される第１の開口が形成されたパネルと、前記パネルに保持され、前記電気部品が前記コネクタに装着されていない場合に前記第１の開口の少なくとも一部を覆う第１の面と、前記電気部品が前記コネクタに装着された場合に前記電気部品に接触する第２の面と、を備えたカバー部材と、を有する制御装置が適用される。【０００８】  また、本発明の別の観点によれば、電気部品が着脱されるコネクタと、前記コネクタが露出される第１の開口が形成されたパネルと、前記電気部品が前記コネクタに装着されていない場合に前記第１の開口の少なくとも一部を覆い、前記電気部品が前記コネクタに装着された場合に前記電気部品を保持する手段と、を有する制御装置が適用される。
【発明の効果】
【０００９】  本発明によれば、制御装置の未使用状態のコネクタを保護することができ、且つ、コネクタに装着された電気部品を保持できる。
【図面の簡単な説明】
【００１０】
【図１Ａ】実施形態に係る制御装置の概略構成の一例を表す斜視図である。
【図１Ｂ】制御装置の概略構成の一例を表す前面図である。
【図１Ｃ】制御装置の概略構成の一例を表す右側面図である。
【図２Ａ】カバー部材でコネクタを保護する場合の一例を説明するための斜視図である。
【図２Ｂ】カバー部材でコネクタを保護する場合の一例を説明するための斜視図である。
【図２Ｃ】カバー部材でコネクタを保護する場合の一例を説明するための右側面図である。
【図３Ａ】カバー部材の詳細構成の一例を表す斜視図である。
【図３Ｂ】カバー部材の詳細構成の一例を表す図３ＡのＡ方向から見た矢視図である。
【図３Ｃ】カバー部材の詳細構成の一例を表す図３ＡのＢ方向から見た矢視図である。
【図３Ｄ】カバー部材の詳細構成の一例を表す図３ＢのＣ方向から見た矢視図である。
【図３Ｅ】カバー部材の詳細構成の一例を表す図３ＢのＤ方向から見た矢視図である。
【図４Ａ】カバー部材でＵＳＢメモリを保持する場合の姿勢変更動作の一例を表す斜視図である。
【図４Ｂ】カバー部材でＵＳＢメモリを保持する場合の姿勢変更動作の一例を表す右側面図である。
【図５Ａ】コネクタにＵＳＢメモリが装着された状態の一例を表す斜視図である。
【図５Ｂ】コネクタにＵＳＢメモリが装着された状態の一例を表す右側面図である。
【図６Ａ】ケーブルタイでＵＳＢメモリとカバー部材が結束された状態の一例を表す斜視図である。
【図６Ｂ】ケーブルタイでＵＳＢメモリとカバー部材が結束された状態の一例を表す右側面である。
【図７Ａ】カバー部材の摺動により高さ調節を行う場合の一例を表す右側面図である。
【図７Ｂ】カバー部材の摺動により高さ調節を行う場合の一例を表す右側面図である。
【図７Ｃ】カバー部材の摺動により高さ調節を行う場合の一例を表す右側面図である。
【図８Ａ】カバー部材の表裏を反転することにより高さ調節を行う場合の一例を表す右側面図である。
【図８Ｂ】カバー部材の表裏を反転することにより高さ調節を行う場合の一例を表す右側面図である。
【図８Ｃ】カバー部材の表裏を反転することにより高さ調節を行う場合の一例を表す右側面図である。
【図９Ａ】ＵＳＢメモリとの接触面である第２の面の第１接触面からのオフセット量の一例を表す説明図である
【図９Ｂ】ＵＳＢメモリとの接触面である第２の面の第２接触面からのオフセット量の一例を表す説明図である．
【図１０Ａ】第２突起部及び第３突起部を長くした変形例におけるカバー部材の詳細構成の一例を表す斜視図である。
【図１０Ｂ】第２突起部及び第３突起部を長くした変形例におけるカバー部材の詳細構成の一例を表す図１０ＡのＥ方向から見た矢視図である。
【図１０Ｃ】第２突起部及び第３突起部を長くした変形例におけるカバー部材の詳細構成の一例を表す図１０ＡのＦ方向から見た矢視図である。
【図１１Ａ】変形例のカバー部材でコネクタを保護する場合の一例を表す斜視図である。
【図１１Ｂ】変形例のカバー部材でＵＳＢメモリを保持する場合の姿勢変更動作の一例を表す斜視図である。
【図１１Ｃ】変形例のカバー部材でＵＳＢメモリを保持する場合の姿勢変更動作の一例を表す斜視図である。
【図１１Ｄ】変形例のカバー部材でＵＳＢメモリを保持する場合の姿勢変更動作の一例を表す斜視図である。
【図１２】ケーブルタイ用の凹部を設けない変形例のカバー部材の詳細構成の一例を表す図３Ｂに対応した図である。
【発明を実施するための形態】
【００１１】  以下、一実施の形態について図面を参照しつつ説明する。なお、以下において、制御装置等の構成の説明の便宜上、上下左右前後等の方向を適宜使用する場合があるが、制御装置等の各構成の位置関係を限定するものではない。
【００１２】  ＜１．制御装置の全体構成＞  図１Ａ〜図１Ｃに示すように、本実施形態に係る制御装置１は、図示しない制御対象を制御する制御装置である。制御装置１としては、例えばＰＬＣ（Ｐｒｏｇｒａｍｍａｂｌｅ  Ｌｏｇｉｃ  Ｃｏｎｔｒｏｌｌｅｒ）等のＦＡ（Ｆａｃｔｏｒｙ  Ａｕｔｏｍａｔｉｏｎ）機器やパソコン（Ｐｅｒｓｏｎａｌ  Ｃｏｍｐｕｔｅｒ）等のＯＡ（Ｏｆｆｉｃｅ  Ａｕｔｏｍａｔｉｏｎ）機器が挙げられる。制御装置１のコネクタ４には、電気部品が着脱可能であり、装着された電気部品との間で所定の規格に基づくデータ転送が行われる。電気部品としては、例えばＵＳＢ（Ｕｎｉｖｅｒｓａｌ  Ｓｅｒｉａｌ  Ｂｕｓ）デバイスやケーブル等が挙げられるが、コネクタに着脱可能な電気部品であればこれに限定されるものではない。以下では、ＵＳＢデバイスの１つであるＵＳＢメモリ１０を装着する場合を一例として説明する。
【００１３】  制御装置１は、ＵＳＢメモリ１０（電気部品の一例。図５Ａ等参照）が着脱されるコネクタ４と、第１の開口５及び第２の開口６が形成された略長方形状のパネル７と、パネル７に保持されるカバー部材２０（図２Ａ等を参照）と、を有する。
【００１４】  パネル７は、制御装置１の筐体２の内部に収容された基板３にネジ３ａ等によって固定され、筐体２の一方側の面に配置されている。以下、このパネル７の設置側を制御装置１の前側、その反対側を後側として説明する。コネクタ４は、基板３の前側に設けられ、図示しない電子回路部品に接続されるとともに、第１の開口５を介して外部に露出されている。第２の開口６は、第１の開口５の近傍、この例ではパネル７の長手方向に沿った一方側に設けられている。以下、この第１の開口５に対し第２の開口６が設けられる側を上側、その反対側を下側として説明する。また図１Ａに示すように、前後方向及び上下方向の両方向に直交する方向を左右方向とする。
【００１５】  図２Ａ〜図２Ｃに示すように、カバー部材２０は、弾性変形可能な一対の爪部２３を有する略長方形状の板材である。カバー部材２０は、パネル７に着脱可能に構成される。具体的には、一対の爪部２３が第２の開口６に装着されることにより、カバー部材２０はパネル７に保持され、一対の爪部２３が第２の開口６から取り外されることにより、カバー部材２０はパネル７から取り外される。なお、カバー部材２０はパネル７に対し着脱可能な構成に限定されるものではなく、例えばヒンジ構造等により上端部がパネル７に対して回転可能に連結された、着脱不能な構成としてもよい。また、爪部２３は単一の部材として構成されてもよく、また３以上の部材として構成されてもよい。
【００１６】  なお、図２Ａ〜図２Ｃでは筐体２の図示を省略している（後述の図４Ａ〜図８Ｃ、図１１Ａ〜図１１Ｄでも同様）。
【００１７】  ＜２．カバー部材の詳細構成＞  次に、図３Ａ〜図３Ｅを用いて、カバー部材２０の詳細構成の一例について説明する。ここでは、カバー部材２０の構成の説明の便宜上、図３Ａに示す上下左右前後等の方向を適宜使用するが、カバー部材２０の各構成の位置関係を限定するものではない。また、図３Ａの各方向は図１Ａの各方向と必ずしも一致するものではない。つまり、図２Ａ〜図２Ｃに示すように、カバー部材２０がパネル７に略平行な姿勢である場合には図１Ａと図３Ａの各方向は一致するが、後述の図４Ａ〜図８Ｃ等に示すように、カバー部材２０がパネル７に略垂直な姿勢である場合には図１Ａと図３Ａの各方向は異なる方向となる。
【００１８】  図３Ａ〜図３Ｃに示すように、カバー部材２０は、カバー本体２１と、把持部２２と、第１突起部２４及び第２突起部２５を有する一対の上記爪部２３と、第３突起部２８とを備えている。一対の爪部２３は、カバー部材２０の長手方向一方側の端部に設けられており、第３突起部２８は、カバー部材２０の長手方向他方側の端部に設けられている。以下、このカバー部材２０の長手方向一方側を上側、長手方向他方側を下側として説明する。また、一対の爪部２３が並列する方向を左右方向（幅方向ともいう）、第１突起部２４及び第２突起部２５が並列する方向を前後方向（厚さ方向ともいう）として説明する。
【００１９】  把持部２２は、カバー本体２１の上側に設けられている。把持部２２は、カバー本体２１よりも左右方向（幅方向）に大きく、かつカバー本体２１よりも前後方向（厚さ方向）に小さい略矩形板状に形成されている。図３Ｂに示すように、把持部２２の後側の面は、カバー本体２１の後側の面よりも前側に向けて所定量オフセットした位置にある。把持部２２の前側の面は、カバー本体２１の前側の面と連続しており、面一となっている。
【００２０】  一対の爪部２３は、把持部２２の上側に設けられ、幅方向に所定の間隔を空けて配置されている。各爪部２３は、把持部２２から上側に向けて突出し、中間部で後側に向けて略Ｌ字状に折れ曲がった突出片として形成されている。また各爪部２３は、互いに対向する内側の面とは反対側の幅方向外側の面に、凹部２６によって区画された第１突起部２４と第２突起部２５とを有している。上記第１突起部２４は上記第２突起部２５よりも後側に位置している。
【００２１】  図３Ｃに示すように、第２突起部２５の幅方向の突出長さは第１突起部２４の幅方向の突出長さよりも短い。したがって、第２突起部２５の幅方向外側の表面は、第１突起部２４の幅方向外側の表面よりも幅方向内側に所定量オフセットした位置にある。また、第２突起部２５の厚さ方向の長さは、把持部２２の厚さ方向の長さと略同一であり、第２突起部２５の後側の面は、把持部２２の後側の面と略同一面上に位置している。また、第２突起部２５の前側の面は、把持部２２の前側の面と連続しており、面一となっている。また、一対の爪部２３の幅方向外側の面には、第２突起部２５と把持部２２との間に凹部２７が形成されている。また、一対の爪部２３の間には、当該一対の爪部２３の互いに近づく方向の変形を許容する空間１９が形成されている。空間１９の下側には、一対の爪部２３の根元から把持部２２に食い込んだ切り欠き状の凹部１９ａが形成されている。凹部１９ａは、把持部２２の上端部よりも下側に位置する底部１９ｂを有している。
【００２２】  上記のように、把持部２２の幅方向寸法がカバー本体２１よりも大きいことにより、ユーザが把持部２２を幅方向両側から把持し易くなっている。また、凹部１９ａが把持部２２に食い込んで形成されているので、ユーザは把持部２２を幅方向内側に向けて押圧（圧縮）することにより一対の爪部２３を容易に変形させることができる。したがって、カバー部材２０のパネル７に対する着脱作業が容易となる。
【００２３】  第１突起部２４は、カバー部材２０の後述の第１の面３１がパネル７の面方向に沿った姿勢（例えばカバー部材２０がパネル７に略平行な姿勢）となるように第２の開口６に係合する突起部である。第１突起部２４が第２の開口６に係合した際には、凹部２６が第２の開口６の縁部に嵌合する。第２突起部２５は、カバー部材２０の後述の第２の面３２がパネル７の面方向に交差する姿勢（例えばカバー部材２０がパネル７に略垂直な姿勢）となるように第２の開口６に係合する突起部である。第２突起部２５が第２の開口６に係合した際には、凹部２７が第２の開口６の縁部に嵌合する。詳細は後述するが、第２突起部２５の突出長さが第１突起部２４の突出長さよりも小さいことにより、カバー部材２０はパネル７から取り外されることなく、凹部２７の隅に位置する回動中心ＡＸ（図３Ｂ参照）周りに回動されることで、容易に上記２つの姿勢を変更することが可能となっている。
【００２４】  なお、本明細書において「突起部が開口に係合する」とは、突起部が開口に挿入されてストッパとしてパネルの内側に引っ掛かることをいう。
【００２５】  上記第３突起部２８は、カバー本体２１の下端部の後側の面に、爪部２３とは反対方向（下方向）に突出して設けられている。第３突起部２８のカバー本体２１の下端部からの突出量は、後述するカバー部材２０Ａの第３突起部２８Ａ（後述の図１０Ｂ参照）に比べて比較的小さくなっている。第３突起部２８は、カバー部材２０がパネル７に略平行な姿勢で保持される際に、第１の開口５の第２の開口６とは反対側（下側）の縁部に係合する突起部である。第３突起部２８の前側の面は、カバー本体２１の後側の面と略同一面上に位置している。
【００２６】  カバー本体２１の長手方向略中間部には、厚さ方向両側の面にそれぞれ凹部２９ａが形成されている。凹部２９ａには、コネクタ４に装着されたＵＳＢメモリ１０とカバー部材２０の第２の面３２とが接触した状態で、ＵＳＢメモリ１０とカバー部材２０とを結束するケーブルタイ３５が収容される。カバー本体２１は、長手方向略中間部に、両側の凹部２９ａにより他の部分よりも厚さ方向寸法が小さい拘束部２９を有している。
【００２７】  図３Ｄ及び図３Ｅに示すように、カバー部材２０は、後側の表面に第１の面３１と第２の面３２とを備え、後側の表面と表裏の関係にある前側の表面に第２の面３３を備える。第１の面３１は、コネクタ４にＵＳＢメモリ１０が装着されていない場合に第１の開口５の少なくとも一部を覆う面である。第１の面３１は、図３Ｄ中一点鎖線で示すように、カバー本体２１の後側の表面（凹部２９ａの表面を含む）で構成される。本実施形態では、カバー本体部２１の前後方向から見た形状及び大きさが第１の開口５と略同一形状であることから、カバー本体部２１の把持部２２よりも後側に突出した部分が第１の開口５に嵌合し、第１の面３１が第１の開口５の略全部を覆う。
【００２８】  第２の面３２，３３は、コネクタ４にＵＳＢメモリ１０が装着された場合にＵＳＢメモリ１０に接触する面である。後側の第２の面３２は、図３Ｄ中二点鎖線で示すように、第３突起部２８の後側の表面で構成される。前側の第２の面３３は、図３Ｅ中二点鎖線で示すように、カバー本体２１の前側の表面（凹部２９ａの表面を含む）及び把持部２２における凹部１９ａの底部１９ｂの位置までの前側の表面で構成される。
【００２９】  ＜３．カバー部材によるコネクタの保護＞  カバー部材２０は、コネクタ４にＵＳＢメモリ１０が装着されていない場合に、パネル７に取り付けられて第１の開口５を覆い、コネクタ４を保護する。この場合には、図２Ａ〜図２Ｃに示すように、カバー部材２０は、把持部２２が例えばユーザの指により把持される等により、パネル７に略平行な姿勢とされて、一対の爪部２３がパネル７の第２の開口６に圧入されるようにパネル７に対し押圧される。これにより、一対の爪部２３は、第１突起部２４の面取り部２４ａ（図３Ｃ参照）が第２の開口６の縁部に当接することによって幅方向内側に弾性変形して、第１突起部２４がパネル７の第２の開口６に圧入されて内側から幅方向両側の縁部に係合する。その結果、第１突起部２４と第２突起部２５との間の凹部２６が第２の開口６の上記幅方向両側の縁部に嵌合する。
【００３０】  また、前述のように第３突起部２８のカバー本体２１の下端部からの突出量は比較的小さいことから、上記のようにカバー部材２０がパネル７に対し押圧された際に、第３突起部２８が（例えば弾性変形する等により）パネル７の第１の開口５に挿入されて当該第１の開口５の下側の縁部に係合する。これにより、カバー部材２０は長手方向の両端が第１の開口５と第２の開口６にそれぞれ係合された状態となり、第１の開口５の略全部がカバー部材２０の第１の面３１で覆われて、コネクタ４が保護される。
【００３１】  ＜４．カバー部材によるＵＳＢメモリの保持＞  図２Ｂ及び図２Ｃに示す状態から、コネクタ４にＵＳＢメモリ１０を装着する場合には、図４Ａ及び図４Ｂに示すように、第１の開口５を覆っていたカバー部材２０の下端部が持ち上げられることにより、第３突起部２８の第１の開口５の縁部への係合が解除される。そして、カバー部材２０は、第１突起部２４が第２の開口６に挿入された状態で回動中心ＡＸ周りに回動され、第２突起部２５がパネル７の第２の開口６に押圧される。このとき、前述のように第２突起部２５の突出長さは第１突起部２４よりも小さく、且つ、一対の爪部２３は、第２突起部２５の面取り部２５ａ（図３Ｃ参照）が第２の開口６の縁部に当接することによって幅方向内側に弾性変形する。これにより、第２突起部２５がパネル７の第２の開口６に圧入されて幅方向両側の縁部に係合する。その結果、第２突起部２５と把持部２２との間の凹部２７が第２の開口６の幅方向両側の縁部に嵌合する。以上により、第１の開口５のコネクタ４が露出されるとともに、カバー部材２０のパネル７の面方向に交差する姿勢（例えば垂直な姿勢。但し垂直以外も含む）が可能となる。このようにして、カバー部材２０はパネル７から取り外されることなく回動中心ＡＸ周りに回動され、姿勢を変更される。
【００３２】  その後、図５Ａ及び図５Ｂに示すように、ＵＳＢメモリ１０が露出されたコネクタ４に装着される。そして、カバー部材２０の第２の面３２がコネクタ４に装着されたＵＳＢメモリ１０に接触するように、カバー部材２０の上下方向（高さ方向）の位置調節が行われる。なお、この上下方向の位置調整の詳細については後述する。
【００３３】  カバー部材２０の第２の面３２がコネクタ４に接触した状態で、図６Ａ及び図６Ｂに示すように、ケーブルタイ３５（結束部材の一例）によりＵＳＢメモリ１０とカバー部材２０とが結束される。ケーブルタイ３５は、ケーブル３５ａと、ケーブル３５の一方側の端部に設けられたロックヘッド３５ｂを有する。ケーブル３５ａは、ＵＳＢメモリ１０に掛けまわされてカバー部材２０の厚さ方向一方側の凹部２９ａに収容され、他方側の端部に設けられた段付きのケーブル先端部３５ａ１がロックヘッド３５ｂに挿入されることで固定される。このようにして、ケーブルタイ３５はＵＳＢメモリ１０とカバー部材２０とを結束する。なお、例えばゴムバンド等、ケーブルタイ３５以外の結束部材を使用してもよい。
【００３４】  この状態で、例えばＵＳＢメモリ１０に対してコネクタ４から引き抜く方向（前方）への力が作用しても、ケーブルタイ３５が凹部２９ａに引っかかると共に、カバー部材２０の一対の爪部２３の２つの第１突起部２４がストッパとなり凹部２７と第２の開口６とが嵌合していることから、ＵＳＢメモリ１０を安定して保持し、抜けを防止できる。
【００３５】  なお、ＵＳＢメモリ１０をコネクタ４から取り外す場合には、上記とは逆の手順を行えばよい。すなわち、ケーブルタイ３５の切断等によりＵＳＢメモリ１０とカバー部材２０との結束が解除され、ＵＳＢメモリ１０がコネクタ４から引き抜かれる。その後、カバー部材２０が上記とは反対方向に回動されて、第２の開口６への係合が第２突起部２５から第１突起部２４に切り替えられる（言い換えると、第２の開口６の縁部への嵌合が凹部２７から凹部２６に切り替えられる）とともに、第３突起部２８が第１の開口５の下側の縁部に係合される。これにより、第１の開口５がカバー部材２０により閉塞される。
【００３６】  ＜５．カバー部材の摺動による高さ調節＞  本実施形態では、カバー部材２０の上下方向（高さ方向）の位置調節が２種類の手法によって行われる。１つ目の手法は、カバー部材２０を上下方向に摺動する手法である。
【００３７】  第２の開口６は、所定の方向（ここでは、ＵＳＢメモリ１０の幅方向である上下方向）の開口寸法が、第２の開口６に装着された一対の爪部２３の上記所定の方向（上下方向）の厚みよりも所定の寸法だけ大きくなるように形成されている。その結果、カバー部材２０は、パネル７に交差する方向に保持された状態（凹部２７が第２の開口６の縁部に嵌合した状態）において、第２の開口６の上下方向の開口寸法の範囲内で摺動により上下方向に移動可能である。
【００３８】  例えば、図７Ａに示すように、コネクタ４に装着されたＵＳＢメモリ１０の上下方向の寸法が小さく、カバー部材２０とＵＳＢメモリ１０との間に隙間があく場合、図７Ｂに示すように、カバー部材２０が下方向に摺動されて、第２の面３２がＵＳＢメモリ１０に接触するように上下方向の位置が調節される。この位置調節は、カバー部材２０を上下方向にスライドさせることにより行われる。その後は、図７Ｃに示すように、図６Ｂと同様に、ケーブルタイ３５によりＵＳＢメモリ１０とカバー部材２０とが結束される。
【００３９】  ＜６．カバー部材の表裏の反転による高さ調節＞  カバー部材２０の上下方向（高さ方向）の位置調節の２つ目の手法は、カバー部材２０の厚さ方向の表裏を反転する手法である。
【００４０】  例えば、コネクタ４に装着するＵＳＢメモリ１０の上下方向の寸法が大きく、カバー部材２０を第２の開口６の上端まで摺動させても、ＵＳＢメモリ１０がカバー部材２０に接触する等によりコネクタ４に挿入できないような場合には、カバー部材２０のＵＳＢメモリ１０に接触する第２の面の位置をさらに高くする必要がある。
【００４１】  詳細は後述するが、カバー部材２０は、厚さ方向の表裏を反転することにより、ＵＳＢメモリ１０に接触する面が第２の面３２及び第２の面３３のいずれか一方に切り替わり、第２の面の上下方向の位置を変更することが可能である。そこで、例えばカバー部材２０の第２の面３２が下方を向く姿勢（図７Ａ〜図７Ｃの姿勢）において、上述のようにＵＳＢメモリ１０の上下方向の寸法が比較的大きい場合には、カバー部材２０が一旦パネル７から取り外される。そして、図８Ａに示すように、カバー部材２０の厚さ方向の表裏が反転されて、第２の面３３が下方を向く姿勢とした状態で、一対の爪部２３が第２の開口６に圧入されて第２突起部２５が係合される。これにより、カバー部材２０は第２の面３３が下方を向き、且つ、パネル７に略垂直な姿勢で保持される。このようにして、ＵＳＢメモリ１０に接触する面が第２の面３２から第２の面３３に切り替わり、第２の面の上下方向の位置がさらに高くなるように調節される。
【００４２】  そして、図８Ｂに示すように、コネクタ４にＵＳＢメモリ１０が装着される。このとき、必要に応じてカバー部材２０が上下方向に摺動されて上下方向の位置が微調整され、カバー部材２０の第２の面３３がＵＳＢメモリ１０に接触する。その後は、図８Ｃに示すように、図６Ｂと同様に、ＵＳＢメモリ１０とカバー部材２０とが結束される。このとき、ケーブル３５ａは、ＵＳＢメモリ１０に掛けまわされてカバー部材２０の厚さ方向他方側の凹部２９ａに収容される。
【００４３】  次に、カバー部材２０の表裏を反転することによる第２の面の上下方向の位置を変更可能な構成の詳細について説明する。
【００４４】  図９Ａに示すように、カバー部材２０が厚さ方向の表裏を反転されずにパネル７に略垂直な姿勢で保持された場合は、カバー部材２０は、厚さ方向一方側（図９Ａの下側）の表面における第２の面３２でＵＳＢメモリ１０と接触する。またこの姿勢において、カバー部材２０を第２の開口６の上端まで摺動させた場合には、カバー部材２０は厚さ方向他方側（図９Ａの上側）の表面における第１接触面３６で第２の開口６の縁部に接触する。この場合、ＵＳＢメモリ１０との接触面である第２の面３２の第１接触面３６からのオフセット量は比較的大きい。
【００４５】  一方、図９Ｂに示すように、カバー部材２０が厚さ方向の表裏を反転されてパネル７に略垂直な姿勢で保持された場合は、カバー部材２０は、厚さ方向他方側（図９Ｂの下側）の表面における第２の面３３でＵＳＢメモリ１０と接触する。またこの姿勢において、カバー部材２０を第２の開口６の上端まで摺動させた場合には、カバー部材２０は厚さ方向一方側（図９Ｂの上側）の表面における第２接触面３７で第２の開口６の縁部に接触する。この場合、ＵＳＢメモリ１０との接触面である第２の面３３の第２接触面３７からのオフセット量は比較的小さい。
【００４６】  このように、パネル７に略垂直な姿勢で保持された状態のカバー部材２０の表裏の向きを変更することにより、ＵＳＢメモリ１０に接触する第２の面３２，３３の接触面３６，３７からのオフセット量を変更することができる。したがって、ＵＳＢメモリ１０に接触する第２の面の上下方向の位置を変更することが可能である。
【００４７】  以上において、カバー部材２０が、電気部品がコネクタに装着されていない場合に第１の開口の少なくとも一部を覆い、電気部品がコネクタに装着された場合に電気部品を保持する手段の一例である。
【００４８】  ＜７．実施形態の効果＞  以上説明したように、本実施形態の制御装置１は、ＵＳＢメモリ１０が着脱されるコネクタ４と、コネクタ４が露出される第１の開口５が形成されたパネル７と、パネル７に保持され、ＵＳＢメモリ１０がコネクタ４に装着されていない場合に第１の開口５を覆う第１の面３１及びＵＳＢメモリ１０がコネクタ４に装着された場合にコネクタ４に接触する第２の面３２，３３を備えたカバー部材２０と、を有する。これにより、次の効果を奏する。
【００４９】  すなわち、本実施形態では、カバー部材２０は、ＵＳＢメモリ１０がコネクタ４に装着されていない場合には、第１の面３１により第１の開口５を覆う。これにより、未使用状態のコネクタ４を保護することができる。したがって、コネクタ４への異物混入や、人体等からの静電気等の影響を低減できる。また、カバー部材２０は、ＵＳＢメモリ１０がコネクタ４に装着された場合には、装着されたＵＳＢメモリ１０に第２の面３２又は第２の面３３を接触させる。このように第２の面３２，３３が接触した状態で、ＵＳＢメモリ１０とパネル７に保持されたカバー部材２０とが適宜の固定手段によって固定されることにより、コネクタ４に装着されたＵＳＢメモリ１０の抜けを防止し、安定して保持することが可能となる。したがって、コネクタ４に装着したＵＳＢメモリ１０の耐振動性、耐衝撃性を向上できる。
【００５０】  さらに、一部品であるカバー部材２０をコネクタ４のカバー部材及びＵＳＢメモリ１０の保持部材として兼用できるので、構造の簡素化、コスト低減を図ることができる。
【００５１】  また、本実施形態では特に、カバー部材２０は、パネル７に着脱可能である。これにより、ＵＳＢメモリ１０をコネクタ４に着脱する際に、必要に応じてカバー部材２０をパネル７から取り外すことができるので、ＵＳＢメモリ１０の着脱操作を容易化できると共にカバー部材２０の取り扱い性を向上できる。また、カバー部材２０の位置調整のために姿勢（表裏の向き）を変更すること等が可能となる。
【００５２】  また、本実施形態では特に、パネル７には、第１の開口５の近傍に第２の開口６が形成されており、カバー部材２０は、第２の開口６に着脱される弾性変形可能な一対の爪部２３を有する。これにより、次の効果を奏する。
【００５３】  すなわち、本実施形態では、カバー部材２０は、一対の爪部２３が第２の開口６に装着されることでパネル７に保持され、一対の爪部２３が第２の開口６から取り外されることでパネル７から取り外される。爪部２３は弾性変形可能に構成されているので、第２の開口６への着脱を容易に行うことができる。したがって、カバー部材２０のパネル７への着脱操作を容易化できる。
【００５４】  また、本実施形態では特に、爪部２３は、カバー部材２０の第１の面３１がパネル７の面方向に沿った姿勢となるように第２の開口６に係合する第１突起部２４を有する。これにより、次の効果を奏する。
【００５５】  すなわち、本実施形態では、カバー部材２０は、第１突起部２４が第２の開口６に係合することで、第１の面３１がパネル７の面方向に沿った姿勢となる。その結果、第１の面３１で第１の開口５を覆うことができる。したがって、未使用状態のコネクタ４を保護する際のカバー部材２０のパネル７への取り付け操作を容易化できる。
【００５６】  また、本実施形態では特に、爪部２３は、カバー部材２０の第２の面３２，３３がパネル７の面方向に交差する姿勢となるように第２の開口６に係合する第２突起部２５を有する。これにより、次の効果を奏する。
【００５７】  すなわち、本実施形態では、カバー部材２０は、第２突起部２５が第２の開口６に係合することで、第２の面３２，３３がパネル７の面方向に交差する姿勢となる。その結果、第２の面３２，３３がコネクタ４に装着されたＵＳＢメモリ１０に面接触することが可能となる。したがって、ＵＳＢメモリ１０を安定して保持することができると共に、保持する際のカバー部材２０のパネル７への取り付け操作を容易化できる。
【００５８】  また、本実施形態では特に、第２の開口６は、上下方向の開口寸法が、第２の開口６に装着された爪部２３の上下方向の厚みよりも大きくなるように形成されている。
【００５９】  これにより、爪部２３は、第２の開口６に装着された状態で第２の開口６内を上下方向に移動できる。その結果、カバー部材２０は、パネル７に略垂直な姿勢で保持された状態（第２突起部２５が第２の開口６に係合した状態）で摺動により上下方向に移動できる。したがって、ＵＳＢメモリ１０を保持する際にカバー部材２０の上下方向の位置を変更できるので、サイズの異なるＵＳＢメモリ１０に対応することが可能となり、汎用性を向上できる。
【００６０】  また、本実施形態では特に、カバー部材２０は、爪部２３とは反対側の端部に、第１の開口５の第２の開口６とは反対側の縁部に係合する第３突起部２８を有する。これにより、次の効果を奏する。
【００６１】  すなわち、本実施形態では、カバー部材２０で未使用状態のコネクタ４を保護する際に、カバー部材２０の一方側の端部では爪部２３の第１突起部２４が第２の開口６に係合し、反対側の端部では第３突起部２８が第１の開口５の縁部に係合する。このように、カバー部材２０の両端部を第１の開口５と第２の開口６にそれぞれ係合させることができるので、カバー部材２０をパネル７に安定して保持できる。したがって、コネクタ４の保護機能を向上できる。
【００６２】  また、本実施形態では特に、カバー部材２０は、第２の面３２，３３を厚さ方向において表裏の関係にある一方側表面と他方側表面にそれぞれ有しており、一方側表面における第２の面３２の、他方側表面において第２の開口６の縁部に接触する第１接触面３６からのオフセット量と、他方側表面における第２の面３３の、一方側表面において第２の開口６の縁部に接触する第２接触面３７からのオフセット量とが、異なるように構成されている。これにより、次の効果を奏する。
【００６３】  すなわち、本実施形態では、カバー部材２０が表裏方向に非対称な形状に形成されており、具体的には上記構成となっている。これにより、パネル７に略垂直な姿勢で保持された状態（第２突起部２５が第２の開口６に係合した状態）のカバー部材２０の厚さ方向の表裏の向きを変更することにより、ＵＳＢメモリ１０に接触する第２の面３２，３３の、第２の開口６の縁部に接触する接触面３６，３７からのオフセット量を変更することができる。したがって、カバー部材２０をパネル７に取り付ける際に、カバー部材２０の取り付け方向（表裏）を変更することで第２の面３２，３３の上下方向の位置を変更できるので、サイズの異なるＵＳＢメモリ１０に対応することが可能となり、汎用性を向上できる。
【００６４】  また、本実施形態では特に、カバー部材２０は、コネクタ４に装着されたＵＳＢメモリ１０と第２の面３２，３３とが接触した状態で、ＵＳＢメモリ１０とカバー部材２０とを結束するケーブルタイ３５が収容される凹部２９ａを有する。
【００６５】  これにより、ケーブルタイ３５のカバー部材２０に対する位置ずれ（特にＵＳＢメモリ１０の着脱方向の位置ずれ）を防止できるので、カバー部材２０によるＵＳＢメモリ１０の保持の安定性を向上できる。したがって、コネクタ４に装着したＵＳＢメモリ１０の耐振動性、耐衝撃性を高めることができる。また、ケーブルタイ３５を用いてカバー部材２０とＵＳＢメモリ１０を結束する際にケーブルタイ３５を位置決めできるので、作業性を向上できる。
【００６６】  ＜８．変形例＞  なお、開示の実施形態は、上記に限られるものではなく、その趣旨及び技術的思想を逸脱しない範囲内で種々の変形が可能である。以下、そのような変形例を説明する。
【００６７】    （８−１）カバー部材の第２突起部、第３突起部を長くした場合  上記実施形態では、第２突起部２５の幅方向の突出長さが第１突起部２４よりも小さいことにより、カバー部材２０が回動中心ＡＸ周りに回動されて、パネル７から取り外されることなく、パネル７に対し略平行と略垂直な姿勢を変更することを可能としたが、これに限定されるものではない。すなわち、第２突起部２５と第１突起部２４の突出長さを同じにしてもよい。本変形例のカバー部材の一例を図１０Ａ〜図１０Ｃに示す。図１０Ａ〜図１０Ｃは、前述の図３Ａ〜図３Ｃに対応している。
【００６８】  図１０Ａ〜図１０Ｃに示すように、本変形例のカバー部材２０Ａでは、第２突起部２５Ａの幅方向（左右方向）の突出長さが上記実施形態の第２突起部２５よりも長く、第１突起部２４の幅方向の突出長さと同じである。また、第３突起部２８Ａの上下方向の突出長さが、上記実施形態の第３突起部２８に比べて比較的長い。カバー部材２０Ａのその他の構成は、上記実施形態のカバー部材２０と同様である。
【００６９】  図１１Ａに、カバー部材２０Ａが第１の開口５を覆いコネクタ４を保護した状態を示す。本変形例では、カバー部材２０Ａの第３突起部２８Ａが比較的長いので、まず第３突起部２８Ａがパネル７の第１の開口５の下側の縁部に係合される。その後、カバー部材２０Ａは、一対の爪部２３がパネル７の第２の開口６に圧入されるようにパネル７に対し押圧される。これにより、爪部２３の第１突起部２４が第２の開口６に係合しつつ、凹部２６が第２の開口６の幅方向両側の縁部に嵌合し、カバー部材２０Ａはパネル７に略平行な姿勢で保持される。
【００７０】  図１１に示す状態から、ＵＳＢメモリ１０をコネクタ４に装着する場合には、上記実施形態のようにカバー部材２０Ａが回動されるのではなく、まず図１１Ｂに示すように、カバー部材２０Ａがパネル７から取り外される。その際、第３突起部２８Ａが比較的長いことから、カバー部材２０Ａの上端の一対の爪部２３が第２の開口６から引き抜かれた後に、第３突起部２８Ａが第１の開口５から引き抜かれて、カバー部材２０Ａの全体がパネル７から取り外される。
【００７１】  次に、図１１Ｃに示すように、カバー部材２０Ａは、第３突起部２８Ａの第２の面３２が下方に向きつつ、パネル７に対し略垂直な姿勢とされる。その後、図１１Ｄに示すように、カバー部材２０Ａがパネル７に対し押圧されて一対の爪部２３が第２の開口６に圧入され、第２突起部２５Ａが第２の開口６に係合しつつ、凹部２７が第２の開口６の幅方向両側の縁部に嵌合する。以上により、第１の開口５のコネクタ４が露出されるとともに、カバー部材２０Ａがパネル７に略垂直な姿勢で保持される。
【００７２】  その後は、上記実施形態と同様、ＵＳＢメモリ１０が露出されたコネクタ４に装着され（図５Ａ、図５Ｂ参照）、ケーブルタイ３５によりＵＳＢメモリ１０とカバー部材２０Ａとが結束される（図６Ａ、図６Ｂ参照）。
【００７３】  なお、上記実施形態と同様に、カバー部材２０Ａの厚さ方向の表裏を反転することにより、第２の面の上下方向の位置を変更可能である。
【００７４】  なお、ＵＳＢメモリ１０をコネクタ４から取り外す場合には、上記とは逆の手順を行えばよい。すなわち、ケーブルタイ３５の切断等によりＵＳＢメモリ１０とカバー部材２０Ａとの結束が解除され、ＵＳＢメモリ１０がコネクタ４から引き抜かれる。その後、カバー部材２０Ａがパネル７から取り外され、パネル７に対し略平行な姿勢に変更されてパネル７に取り付けられる。これにより、第１の開口５がカバー部材２０Ａにより閉塞される。
【００７５】  以上説明した変形例によれば、上記実施形態と同様の効果を得ることができる。また、第２突起部２５Ａ及び第３突起部２８Ａの突出長さを大きくしたので、カバー部材２０Ａがパネル７に略平行な姿勢及び略垂直な姿勢で保持される際に、より安定して保持することができる。
【００７６】    （８−２）ケーブルタイ用の凹部を設けない場合  本変形例のカバー部材の一例を図１２に示す。図１２は、前述の図３Ｂに対応している。図１２に示すように、本変形例のカバー部材２０Ｄは、カバー本体２１Ｄの厚さ方向両側の表面がフラットであり、ケーブルタイ３５を収容する凹部２９ａが設けられていない。カバー部材２０Ｄのその他の構成は、上記実施形態のカバー部材２０と同様である。
【００７７】  本変形例では、結束部材として例えば摩擦の大きいゴムバンド等を使用することによって、カバー部材２０ＤとＵＳＢメモリ１０とを安定して結束することができる。また、凹部２９ａが設けられないので、カバー部材２０Ｄの形状や製造工程をさらに簡素化できると共に、カバー本体２１Ｄの剛性も向上できる。
【００７８】    （８−３）その他  以上において、コネクタ４は、ＵＳＢメモリ１０を装着するＵＳＢコネクタ以外でもよい。すなわち、装着される電気部品に対応したコネクタであればよく、例えばＬＡＮコネクタ、イヤホンのコネクタ、マイクのコネクタ、ＨＤＭＩ（登録商標：Ｈｉｇｈ  Ｄｅｆｉｎｉｔｉｏｎ  Ｍｕｌｔｉｍｅｄｉａ  Ｉｎｔｅｒｆａｃｅ）コネクタ等でもよい。
【００７９】  なお、以上の説明において、「垂直」「平行」「平面」等の記載がある場合には、当該記載は厳密な意味ではない。すなわち、それら「垂直」「平行」「平面」とは、設計上、製造上の公差、誤差が許容され、「実質的に垂直」「実質的に平行」「実質的に平面」という意味である。
【００８０】  また、以上の説明において、外観上の寸法や大きさ、形状、位置等が「同一」「同じ」「等しい」「異なる」等の記載がある場合は、当該記載は厳密な意味ではない。すなわち、それら「同一」「等しい」「異なる」とは、設計上、製造上の公差、誤差が許容され、「実質的に同一」「実質的に同じ」「実質的に等しい」「実質的に異なる」という意味である。
【００８１】  また、以上既に述べた以外にも、上記実施形態や各変形例による手法を適宜組み合わせて利用しても良い。その他、一々例示はしないが、上記実施形態や各変形例は、その趣旨を逸脱しない範囲内において、種々の変更が加えられて実施されるものである。
【符号の説明】
【００８２】  １            制御装置  ４            コネクタ  ５            第１の開口  ６            第２の開口  ７            パネル  １０          ＵＳＢメモリ（電気部品の一例）  ２０          カバー部材  ２３          爪部  ２４          第１突起部  ２５          第２突起部  ２８          第３突起部  ２９ａ        凹部  ３１          第１の面  ３２          第２の面  ３３          第２の面  ３５          ケーブルタイ（結束部材の一例）  ３６          第１接触面  ３７          第２接触面
【図１Ａ】
2017141403.tif 000003
【図１Ｂ】
2017141403.tif 000004
【図１Ｃ】
2017141403.tif 000005
【図２Ａ】
2017141403.tif 000006
【図２Ｂ】
2017141403.tif 000007
【図２Ｃ】
2017141403.tif 000008
【図３Ａ】
2017141403.tif 000009
【図３Ｂ】
2017141403.tif 000010
【図３Ｃ】
2017141403.tif 000011
【図３Ｄ】
2017141403.tif 000012
【図３Ｅ】
2017141403.tif 000013
【図４Ａ】
2017141403.tif 000014
【図４Ｂ】
2017141403.tif 000015
【図５Ａ】
2017141403.tif 000016
【図５Ｂ】
2017141403.tif 000017
【図６Ａ】
2017141403.tif 000018
【図６Ｂ】
2017141403.tif 000019
【図７Ａ】
2017141403.tif 000020
【図７Ｂ】
2017141403.tif 000021
【図７Ｃ】
2017141403.tif 000022
【図８Ａ】
2017141403.tif 000023
【図８Ｂ】
2017141403.tif 000024
【図８Ｃ】
2017141403.tif 000025
【図９Ａ】
2017141403.tif 000026
【図９Ｂ】
2017141403.tif 000027
【図１０Ａ】
2017141403.tif 000028
【図１０Ｂ】
2017141403.tif 000029
【図１０Ｃ】
2017141403.tif 000030
【図１１Ａ】
2017141403.tif 000031
【図１１Ｂ】
2017141403.tif 000032
【図１１Ｃ】
2017141403.tif 000033
【図１１Ｄ】
2017141403.tif 000034
【図１２】
2017141403.tif 000035
【国際調査報告】
2017141403.tif 000036
2017141403.tif 000037